(57)【特許請求の範囲】
【請求項１】
巻取り部材から多数枚のスラットを回動可能に吊下支持し、操作装置の操作に基づいて、前記巻取り部材内に配設されたチルトシャフトを回転させることにより前記スラットを回動可能とするとともに、前記巻取り部材を回転させて前記スラットを巻取り可能とした縦型ブラインドにおいて、
前記巻取り部材には、
前記操作装置により回転される入力軸の回転にともなって回転する駆動歯車と、
前記駆動歯車に常時噛合うとともに送りネジ軸に螺合し、前記駆動歯車の回転にともなって駆動歯車とともに前記送りネジ軸の軸方向に移動可能とし、前記送りネジ軸の一端部では前記送りネジ軸との螺合を解除して前記送りネジ軸の軸方向に定位置で回転可能とする昇降歯車と、
前記駆動歯車の移動範囲内の所定位置で、該駆動歯車に噛合って前記チルトシャフトを回転させるチルト歯車と
を備え、
前記昇降歯車と巻取り部材には、前記スラットの全閉後であって前記昇降歯車が前記定位置で回転するとき互いに係合する係合手段を設け、前記駆動歯車と一体に回転する昇降歯車と巻取り部材とを一体に回転可能とし、前記昇降歯車が前記定位置で前記駆動歯車と一体に回転することにより該巻取り部材を回転させることを特徴とする縦型ブラインドのスラット駆動装置。
【請求項２】
前記巻取り部材には前記昇降歯車を前記送りネジ軸に螺合させる方向に付勢する付勢手段を設け、前記巻取り部材には、該巻取り部材にスラットが巻き取られている状態では、前記昇降歯車を前記定位置で前記駆動歯車と一体に回転させる戻り止めを設けたことを特徴とする請求項１記載の縦型ブラインドのスラット駆動装置。
【請求項３】
前記戻り止めは、前記巻取り部材に巻き取られたスラットにより該巻取り部材の内部に突出し、前記昇降歯車に係合して前記付勢手段の付勢力に抗して該昇降歯車を前記定位置で前記駆動歯車と一体に回転させることを特徴とする請求項２記載の縦型ブラインドのスラット駆動装置。
【発明の詳細な説明】
【０００１】
【発明の属する技術分野】
この発明は、ハンガーレールから吊下支持されるスラットを畳み込み、あるいは回動させることにより、採光量の調節を行う縦型ブラインドに関するものである。
【０００２】
【従来の技術】
縦型ブラインドは、ハンガーレールに多数のスラットが移動可能に支持され、同ハンガーレールの一端部に設けられた操作手段の操作により、各スラットをハンガーレールに沿って引き出し、あるいは畳み込み可能となっている。また、操作手段の操作により各スラットを回動させて、採光量を微調整可能となっている。
【０００３】
このような縦型ブラインドでは、スラットを畳み込むためには、その縦型ブラインドが設置される窓面の両側あるいは一側にスラットを畳み込むためのスペースが必要となる。
【０００４】
そして、ハンガーレールに吊下支持されるスラットの枚数が多くなるほど、広いスペースが必要となって、窓を十分に開放することができないとともに、美観上好ましくない。
【０００５】
そこで、特公昭５１−４３５７号公報、あるいは特公平３−１７０３４号公報に記載された縦型ブラインドでは、スラットを上方へ巻上げることにより、窓面の両側にスラットを畳み込むためのスペースを不要としながら、窓面を開放可能とした縦型ブラインドが提案されている。
【０００６】
【発明が解決しようとする課題】
特公昭５１−４３５７号公報に記載された縦型ブラインドでは、框枠体の一側に垂下された把柄を下方へ引きながら回転させたとき、スラットが円管に巻上げられる構成である。従って、把柄を確実に下方へ引かない状態で回転させると、スラットを円管に一部巻上げた状態で、スラットの吊軸が回転されてしまい、故障の原因となるという問題点がある。
【０００７】
また、特公平３−１７０３４号公報に記載された縦型ブラインドでは、巻胴内にネジ軸を移動可能に配設し、そのネジ軸の移動にともなってラックを移動させることによりスラットの回動動作を行い、かつネジ軸の移動にともなって巻胴を回転させることにより、スラットを巻胴に巻き取り可能となっている。
【０００８】
このような構成では、スラットが垂下される幅が狭く巻胴が短い縦型ブラインドでは、ネジ軸の移動距離を十分に確保することが困難である。また、スラットの長さが長く、スラットを下限から上限まで巻上げるために巻胴の回転数が多くなる縦型ブラインドでも、ネジ軸の移動距離を十分に確保することが困難である。
【０００９】
従って、幅の狭い窓面に設置する縦型ブラインド、あるいは高さが高い窓面に設置する縦型ブラインドには対応し難いという問題点がある。
この発明の目的は、スラットを巻上げることにより窓面を開放可能としながら、種々の窓面の幅や高さに容易に対応し得る縦型ブラインドのスラット駆動装置を提供することにある。
【００１１】
【課題を解決するための手段】
請求項１では、巻取り部材から多数枚のスラットを回動可能に吊下支持し、操作装置の操作に基づいて、前記巻取り部材内に配設されたチルトシャフトを回転させることにより前記スラットを回動可能とするとともに、前記巻取り部材を回転させて前記スラットを巻取り可能とした縦型ブラインドにおいて、前記巻取り部材には、前記操作装置により回転される入力軸の回転にともなって回転する駆動歯車と、前記駆動歯車に常時噛合うとともに送りネジ軸に螺合し、前記駆動歯車の回転にともなって駆動歯車とともに前記送りネジ軸の軸方向に移動可能とし、前記送りネジ軸の一端部では前記送りネジ軸との螺合を解除して前記送りネジ軸の軸方向に定位置で回転可能とする昇降歯車と、前記駆動歯車の移動範囲内の所定位置で、該駆動歯車に噛合って前記チルトシャフトを回転させるチルト歯車とを備え、前記昇降歯車と巻取り部材には、前記スラットの全閉後であって前記昇降歯車が前記定位置で回転するとき互いに係合する係合手段を設け、前記駆動歯車と一体に回転する昇降歯車と巻取り部材とを一体に回転可能とし、前記昇降歯車が前記定位置で前記駆動歯車と一体に回転することにより該巻取り部材を回転させる。
【００１２】
請求項２では、前記巻取り部材には前記昇降歯車を前記送りネジ軸に螺合させる方向に付勢する付勢手段を設け、前記巻取り部材には、該巻取り部材にスラットが巻き取られている状態では、前記昇降歯車を前記定位置で前記駆動歯車と一体に回転させる戻り止めを設けた。
【００１３】
請求項３では、前記戻り止めは、前記巻取り部材に巻き取られたスラットにより該巻取り部材の内部に突出し、前記昇降歯車に係合して前記付勢手段の付勢力に抗して該昇降歯車を前記定位置で前記駆動歯車と一体に回転させる。
【００１４】
【発明の実施の形態】
以下、この発明を具体化した一実施の形態を図面に従って説明する。図１及び図２に示す縦型ブラインドは、一対のブラケット１が窓上部の天井面等に固定され、そのブラケット１間にはハンガーレール２が支軸３ａ，３ｂを介して回転可能に支持されている。
【００１５】
前記一方のブラケット１にはモータ４が配設され、そのモータ４の出力軸と、前記支軸３ａに固定されたプーリー５との間にはタイミングベルト６が掛装されている。
【００１６】
前記ハンガーレール２の一端部にはギヤボックス７が配設され、そのギヤボックス７内には六角軸状の入力軸８が回転可能に支持されている。そして、前記入力軸８の基端部は前記プーリー５に固定されている。従って、モータ４の作動により、タイミングベルト６を介してプーリー５が回転されると、入力軸８が回転される。
【００１７】
なお、前記モータ４には、同モータ４に作用する負荷が過大となったとき、同モータ４の作動を停止させるリミッター９が取着されている。
前記入力軸８には、駆動歯車１０が軸方向に移動可能に、かつ一体に回転可能に嵌合されている。
【００１８】
図３及び図４に示すように、前記ハンガーレール２は下方を開口した円筒状に形成され、そのハンガーレール２内には多数のランナー１１が等間隔に、かつ移動不能に支持されている。そして、各ランナー１１に回転可能に支持された吊下フック１２からそれぞれスラット１３が吊下支持されている。
【００１９】
前記ハンガーレール２の両端部には、固定スラット１３ａが吊下支持されている。この固定スラット１３ａは、ハンガーレール２の長手方向に沿う方向すなわち全閉状態で吊下支持されている。
【００２０】
前記各スラット１３，１３ａの下端には、吊下部材を介して共通のウェイトバー１４が吊下支持されている。前記各スラット１３は、ウェイトバー１４に対し回転可能となっている。
【００２１】
前記各ランナー１１にはチルトシャフト１５が挿通されている。すなわち、図４に示すように、前記チルトシャフト１５の外周面には３条の凹条が形成され、そのチルトシャフト１５が前記ランナー１１に内蔵されるウォーム機構を構成するウォームの中心部に相対回転不能に挿通されている。
【００２２】
従って、チルトシャフト１５が回転されると、ウォーム機構を介して前記吊下フック１２が回転される。
前記チルトシャフト１５の一端は、前記ギヤボックス７に回転可能に支持されたチルト駆動軸１６の端部に連結具１７を介して連結されている。図３に示すように、前記チルト駆動軸１６は前記ギヤボックス７内において前記入力軸８の斜め上方に位置し、同チルト駆動軸１６の中間部にはチルト歯車１８が固定されている。
【００２３】
前記チルト歯車１８の径は、前記駆動歯車１０と噛合い可能な径で形成され、その駆動歯車１０が入力軸８の軸方向に移動してチルト歯車１８に噛合うと、入力軸８の回転にともなってチルト駆動軸１６が回転され、そのチルト駆動軸１６の回転にともなってチルトシャフト１５が回転される。
【００２４】
前記各ランナー１１には、前記チルトシャフト１５の側方において固定シャフト１９が挿通され、その固定シャフト１９の一端は前記ギヤボックス７に固定される送りネジ軸２０の端部に固定され、他端は前記ハンガーレール２の他端に固定されている。そして、各ランナー１１は固定シャフト１９に対し軸方向に移動不能に固定されている。
【００２５】
前記送りネジ軸２０は、前記ギヤボックス７内において、前記チルト駆動軸１６の側方かつ前記入力軸８の斜め上方に位置し、その中間部に刻設されネジ２１に前記駆動歯車１０に噛合う昇降歯車２２が螺合されている。
【００２６】
図５に示すように、前記昇降歯車２２の両側には、フランジ部２３が形成され、そのフランジ部２３は昇降歯車２２に噛合う前記駆動歯車１０を両側から挟むようにして、両歯車１０，２２が常時噛合うように保持している。
【００２７】
従って、入力軸８とともに駆動歯車１０が回転されると、昇降歯車２２が回転しながら送りネジ軸２０の軸方向に移動し、その昇降歯車２２とともに駆動歯車１０が入力軸８上を移動するようになっている。
【００２８】
前記送りネジ軸２０の両端部のネジ２１が刻設されていない部分には、コイルスプリング２４がそれぞれ配設されている。そして、昇降歯車２２が送りネジ軸２０上を移動して、ネジ２１の端部に移動すると、昇降歯車２２はコイルスプリング２４を圧縮しながら移動し、やがて昇降歯車２２が送りネジ軸２０に対し空回りするようになっている。
【００２９】
前記昇降歯車２２の一方のフランジ部２３の側面には、突部２５が形成され、前記ギヤボックス７の一方の内側面上において、前記突部２５の回転軌跡上に突部２６が形成されている。そして、昇降歯車２２がコイルスプリング２４を圧縮しながら突部２６に向かって移動すると、やがて昇降歯車２２が送りネジ軸２０に対し空回りする状態となり、その状態で突部２５が突部２６に係合する。
【００３０】
すると、昇降歯車２２の送りネジ軸２０及びギヤボックス７に対する回転が阻止されるため、駆動歯車１０の回転にともなって、昇降歯車２２が駆動歯車１０と一体に回転する状態となる。従って、この状態では支軸３ａ，３ｂを回動支点としてハンガーレール２が回転されるようになっている。
【００３１】
前記ハンガーレール２の一端部には戻り止め２７が取着されている。その戻り止め２７は鍋状の頭部の下方に軸部が形成され、その軸部の中間部に突部２８が形成されている。そして、その突部２８を含む軸部の先端部がハンガーレール２内に嵌挿されて、前記ギヤボックス７内に突出され、突部２８はハンガーレール２からの抜け止めとして作用する。
【００３２】
前記戻り止め２７の頭部とハンガーレール２の外周面との間にはコイルスプリング２９が配設され、そのコイルスプリング２９の付勢力により、戻り止め２７は突部２８がハンガーレール２の内周面に当接する状態に保持される。この状態では、戻り止め２７の先端部は前記昇降歯車２２のフランジ部２３の移動軌跡上には達しないように保持される。
【００３３】
前記ハンガーレール２にスラット１３ａが巻き取られると、そのスラット１３ａにより戻り止め２７の頭部がコイルスプリング２９の付勢力に抗して押圧され、戻り止め２７の軸部先端が昇降歯車２２の移動軌跡上まで突出される。
【００３４】
次に、上記のように構成された縦型ブラインドの動作を説明する。
図１及び図４〜図６に示すように、各スラット１３が全開状態に回動されている状態からモータ４を作動させて、入力軸８を一方へ回転させると、駆動歯車１０及び昇降歯車２２が矢印Ａ方向へ移動する。
【００３５】
すると、駆動歯車１０がチルト歯車１８に噛合ってチルトシャフト１５が回転されて、スラット１３が回動される。そして、駆動歯車１８がチルト歯車１８を通り過ぎて再び噛合わなくなった状態では、図７〜図９に示すように、スラット１３は約９０度回動されて、ハンガーレール２に沿う方向となり、全閉状態となる。
【００３６】
次いで、さらに入力軸８を同方向へ回転させると、駆動歯車１０が同方向へさらに移動し、図１０〜図１２に示すように、やがて昇降歯車２２が送りネジ軸２０に対し空回りする状態となるとともに、突部２５，２６が互いに係合する。
【００３７】
すると、入力軸８の回転にともなってハンガーレール２が回転されて、同ハンガーレール２にスラット１３，１３ａが巻き取られ、ウェイトバー１４が引上げられる。
【００３８】
そして、スラット１３，１３ａがハンガーレール２に完全に巻き取られて、ウェイトバー１４がハンガーレール２近傍まで引上げられると、窓面が開放される。
【００３９】
この状態では、図１２に示すように、ハンガーレール２に巻き取られたスラット１３ａにより戻り止め２７が押圧されて、その先端部が昇降歯車２２のフランジ部２３の移動軌跡上に突出され、コイルスプリング２４の付勢力による昇降歯車２２の矢印Ｂ方向への移動が阻止される。
【００４０】
ハンガーレール２にスラット１３，１３ａが巻き取られた状態からモータ４を作動させて入力軸８を逆方向へ回転させると、スラット１３ａがハンガーレール２に巻き取られている状態では、戻り止め２７が昇降歯車２２のフランジ部２３に当接しているため、昇降歯車２２の矢印Ｂ方向への移動は阻止され、昇降歯車２２がほぼ１回転した後に、突部２５が突部２６に逆方向から係合する。
【００４１】
すると、入力軸８の回転にともなってハンガーレール２が逆方向に回転され、スラット１３，１３ａがハンガーレール２から巻き戻される。そして、スラット１３，１３ａが完全に巻き戻されると、戻り止め２７の先端部はコイルスプリング２９の付勢力により昇降歯車２２に対し後退する。
【００４２】
すると、コイルスプリング２４の付勢力により昇降歯車２２は矢印Ｂ方向に押圧され、ネジ２１に噛合う。そして、駆動歯車１０の回転に基づいて、昇降歯車２２及び駆動歯車１０は送りネジ軸２０上を矢印Ｂ方向に移動する。
【００４３】
この状態で、駆動歯車１０がチルト歯車１８に噛合い、さらにチルト歯車１８を通過すると、図１及び図４に示すように、各スラット１３が全開状態まで回動される。
【００４４】
上記のような縦型ブラインドでは、次に示す作用効果を得ることができる。
（１）モータ４を作動させることにより、スラット１３の回動動作と、スラット１３，１３ａのハンガーレール２への巻取り動作を行うことができる。
【００４５】
（２）スラット１３を全閉状態まで回動させた後、モータ４をさらに同方向に作動させると、スラット１３，１３ａをハンガーレール２に自動的に巻き取ることができる。
【００４６】
（３）スラット１３，１３ａをハンガーレール２に巻き取った状態から、モータ４を逆方向に作動させると、スラット１３，１３ａをハンガーレール２から巻き戻すことができる。
【００４７】
（４）スラット１３の回動動作と、スラット１３，１３ａの巻取り動作とを制御するギヤボックス７を、ハンガーレール２の一側の小さなスペースに収納することができる。
【００４８】
（５）昇降歯車２２を送りネジ軸２０に空回りさせながらハンガーレール２を回転させて、スラット１３，１３ａをハンガーレール２に巻き取ることができるので、スラット１３，１３ａの高さに関わらず、送りネジ軸２０の長さを一定として、ギヤボックス７を小型化することができる。
【００４９】
（６）駆動歯車１０とチルト歯車１８のギヤ比を適宜に設定することにより、駆動歯車１０がチルト歯車１８に噛合っている間に、スラット１３を全開状態から全閉状態までの容易にかつ確実に回動させることができる。
【００５０】
（７）ギヤボックス７を小型化することができるので、幅の狭い縦型ブラインドのハンガーレールにもギヤボックス７を容易に収納することができる。
上記実施の形態は、次に示すように変更することもできる。
・入力軸８を手動操作により回転させる構成としてもよい。
【００５１】
【発明の効果】
以上詳述したように、この発明はスラットを巻上げることにより窓面を開放可能としながら、種々の窓面の幅や高さに容易に対応し得る縦型ブラインドのスラット駆動装置を提供することができる。
【図面の簡単な説明】
【図１】  縦型ブラインドを示す一部破断正面図である。
【図２】  ハンガーレール内の構成を示す平面図である。
【図３】  ギヤボックス内の歯車を示す側面図である。
【図４】  ランナーを示す側面図である。
【図５】  ギヤボックスの動作を示す平面図である。
【図６】  ギヤボックスの動作を示す正面図である。
【図７】  スラットの動作を示す側面図である。
【図８】  ギヤボックスの動作を示す平面図である。
【図９】  ギヤボックスの動作を示す正面図である。
【図１０】スラットの巻取り動作を示す側面図である。
【図１１】ギヤボックスの動作を示す平面図である。
【図１２】ギヤボックスの動作を示す正面図である。
【符号の説明】
２            巻取り部材（ハンガーレール）
４            操作装置（モータ）
８            入力軸
１０          駆動歯車
１３          スラット
１５          チルトシャフト
１８          チルト歯車
２２          巻取り装置（昇降歯車）
２５，２６    巻取り装置（突部）
【図１】
0004087525.tif 000002
【図２】
0004087525.tif 000003
【図３】
0004087525.tif 000004
【図４】
0004087525.tif 000005
【図５】
0004087525.tif 000006
【図６】
0004087525.tif 000007
【図７】
0004087525.tif 000008
【図８】
0004087525.tif 000009
【図９】
0004087525.tif 000010
【図１０】
0004087525.tif 000011
【図１１】
0004087525.tif 000012
【図１２】
0004087525.tif 000013